(57)【要約】【課題】同時に生起したランダムアクセスの衝突確率を低減しながら、ＲＡＣＨランダムアクセスのスループットを向上させることができるＣＤＭＡランダムアクセスシステム、及びＣＤＭＡランダムアクセス方法を提供する。【解決手段】ＣＤＭＡランダムアクセスのＰｒｅａｍｂｌｅ試行において、同一コード、複数の遅延位置に相関値のピークが検出された場合、それらの間隔がある一定の閾値を越える場合には、異なる移動機からの試行であると見なす。そして、続くデータ送信において、それらを別々にＲａｋｅ合成、デコード処理を行なうことによって、ランダムアクセスの衝突確率を低減する。【選択図】　　　　図１
2004064560.tif 000002
【特許請求の範囲】
【請求項１】
同一コードのＣＤＭＡランダムアクセスのＰｒｅａｍｂｌｅ試行を受信し、複数の遅延位置にＰａｔｈが検出されたとき、該Ｐａｔｈ同士の間隔がＰａｔｈ間隔閾値を越える場合、異なる移動機からの前記Ｐｒｅａｍｂｌｅ試行とみなすことを特徴とするＣＤＭＡランダムアクセスシステム。
【請求項２】
前記ランダムアクセスのＰｒｅａｍｂｌｅの遅延プロファイルを生成する遅延プロファイル生成手段と、
前記遅延プロファイル生成手段により生成された遅延プロファイルのピーク検出を行ない、ピーク閾値を満たしたピーク値をＰｒｅａｍｂｌｅ　ＰａｔｈとするＰｒｅａｍｂｌｅ　Ｐａｔｈ検出手段と、
前記Ｐｒｅａｍｂｌｅ　Ｐａｔｈ検出手段により検出されたＰｒｅａｍｂｌｅＰａｔｈの間隔を判定して、通信可能なＰａｔｈを選択するＰａｔｈ間隔判定手段と、
前記Ｐａｔｈ間隔判定手段により選択されたＰｒｅａｍｂｌｅ　Ｐａｔｈを基に、メッセージＰａｔｈ、及び受信開始タイミングを生成する複数のメッセージＰａｔｈ検出手段と、
前記メッセージＰａｔｈ検出手段により生成されたメッセージＰａｔｈを基に、該メッセージのＲａｋｅ受信、及びデコードを行なう複数のＲａｋｅ受信／デコード手段と、
前記メッセージＰａｔｈ検出手段により生成された受信開始タイミングを基に、同時に受信開始したメッセージの一致検出を行ない、一致した場合に一の前記メッセージの出力のみを行なう同一メッセージ判定手段と、
を有することを特徴とする請求項１記載のＣＤＭＡランダムアクセスシステム。
【請求項３】
前記Ｐａｔｈ間隔判定手段は、
前記Ｐｒｅａｍｂｌｅ　Ｐａｔｈ検出手段により複数の遅延位置に前記Ｐｒｅａｍｂｌｅ　Ｐａｔｈが検出されたとき、１のＰｒｅａｍｂｌｅ　Ｐａｔｈの前記Ｐａｔｈ間隔閾値内に他のＰｒｅａｍｂｌｅ　Ｐａｔｈが存するか否かを判定することを特徴とする請求項２記載のＣＤＭＡランダムアクセスシステム。
【請求項４】
同一コードのＣＤＭＡランダムアクセスのＰｒｅａｍｂｌｅ試行を受信し、複数の遅延位置にＰａｔｈが検出されたとき、該Ｐａｔｈ同士の間隔がＰａｔｈ間隔閾値を越える場合、異なる移動機からの前記Ｐｒｅａｍｂｌｅ試行とみなすことを特徴とするＣＤＭＡランダムアクセス方法。
【請求項５】
前記ランダムアクセスのＰｒｅａｍｂｌｅの遅延プロファイルを生成する遅延プロファイル生成工程と、
前記遅延プロファイル生成工程により生成された遅延プロファイルのピーク検出を行ない、ピーク閾値を満たしたピーク値をＰｒｅａｍｂｌｅ　ＰａｔｈとするＰｒｅａｍｂｌｅ　Ｐａｔｈ検出工程と、
前記Ｐｒｅａｍｂｌｅ　Ｐａｔｈ検出工程により検出されたＰｒｅａｍｂｌｅＰａｔｈの間隔を判定して、通信可能なＰａｔｈを選択するＰａｔｈ間隔判定工程と、
前記Ｐａｔｈ間隔判定工程により選択されたＰｒｅａｍｂｌｅ　Ｐａｔｈを基に、メッセージＰａｔｈ、及び受信開始タイミングを生成するメッセージＰａｔｈ検出工程と、
前記メッセージＰａｔｈ検出工程により生成されたメッセージＰａｔｈを基に、該メッセージのＲａｋｅ受信、及びデコードを行なうＲａｋｅ受信／デコード工程と、
前記メッセージＰａｔｈ検出工程により生成された受信開始タイミングを基に、同時に受信開始したメッセージの一致検出を行ない、一致した場合に一の前記メッセージの出力のみを行なう同一メッセージ判定工程と、
を有することを特徴とする請求項４記載のＣＤＭＡランダムアクセス方法。
【請求項６】
前記Ｐａｔｈ間隔判定工程は、
前記Ｐｒｅａｍｂｌｅ　Ｐａｔｈ検出工程により複数の遅延位置に前記Ｐｒｅａｍｂｌｅ　Ｐａｔｈが検出されたとき、１のＰｒｅａｍｂｌｅ　Ｐａｔｈの前記Ｐａｔｈ間隔閾値内に他のＰｒｅａｍｂｌｅ　Ｐａｔｈが存するか否かを判定することを特徴とする請求項５記載のＣＤＭＡランダムアクセス方法。
【発明の詳細な説明】
【０００１】
【発明の属する技術分野】
本発明は、複数の移動機から同一コードでランダムアクセスを受信するＣＤＭＡランダムアクセスシステム、及びＣＤＭＡランダムアクセス方法に関する。
【０００２】
【従来の技術】
図８に、従来のＣＤＭＡランダムアクセスシステムの構成図を示す。従来のＣＤＭＡランダムアクセスシステムは、Ｓｉｇｎａｔｕｒｅ　Ｐｒｅａｍｂｌｅ遅延プロファイル生成部１１、Ｐｒｅａｍｂｌｅ　Ｐａｔｈ検出部１２、メッセージ受信Ｐａｔｈ検出部、Ｒａｋｅ受信部１４、及びＡＩＣＨ生成回路１５を備える。図８では、複数ｓｉｇｎａｔｕｒｅを扱う構成での、第０番目のｓｉｇｎａｔｕｒｅを扱う例を示している。
【０００３】
本発明に関連する従来技術として、特開２０００−３１２１６８号公報には、遅延プロファイルのピーク位置を検出し、このピーク位置に基づきＲＡＫＥパスの割当てを決定する技術が開示されている。また、特開２０００−３１２１６８号公報には、ランダムアクセス信号のピーク受信位置を検出し、このピーク受信位置に基づいて復調する技術が開示されている。また、特開平１０−２７１５５７号公報には、遅延プロファイルを推定してパス出現タイミングを検出し、このパス出現タイミングに基づき伝送シンボルを出力する技術が開示されている。
【０００４】
【発明が解決しようとする課題】
図８に示す従来の構成には、図１に示す本発明の構成と比較すると、Ｐａｔｈ間隔判定部３が無く、メッセージＰａｔｈ検出部４、及びＲＡＫＥ受信／デコード部５も単一構成であった。従って、複数の移動機から同一のコードでランダムアクセスがあった場合、遅延プロファイル上、移動機の位置が十分離れていても、位置を考慮して、複数のＰａｔｈを受信することができないため、１つの移動機を除いて、通信ができない（データが通らない）という問題があった。
【０００５】
上述した公報群は、本発明の主要部となるＰｒｅａｍｂｌｅのＰａｔｈ間の距離を検出することにより、干渉を防止しながらスループットを向上させるという点について、開示するものはなく、それを示唆する記載も見当たらない。
【０００６】
本発明は、上記問題点に鑑みなされたものであり、同時に生起したランダムアクセスの衝突確率を低減しながら、ＲＡＣＨランダムアクセスのスループットを向上させることができるＣＤＭＡランダムアクセスシステム、及びＣＤＭＡランダムアクセス方法を提供することを目的とする。
【０００７】
【課題を解決するための手段】
係る目的を達成するために、請求項１記載の発明は、同一コードのＣＤＭＡランダムアクセスのＰｒｅａｍｂｌｅ試行を受信し、複数の遅延位置にＰａｔｈが検出されたとき、Ｐａｔｈ同士の間隔がＰａｔｈ間隔閾値を越える場合、異なる移動機からのＰｒｅａｍｂｌｅ試行とみなすことを特徴としている。
【０００８】
請求項２記載の発明は、請求項１記載の発明において、ランダムアクセスのＰｒｅａｍｂｌｅの遅延プロファイルを生成する遅延プロファイル生成手段と、遅延プロファイル生成手段により生成された遅延プロファイルのピーク検出を行ない、ピーク閾値を満たしたピーク値をＰｒｅａｍｂｌｅ　ＰａｔｈとするＰｒｅａｍｂｌｅ　Ｐａｔｈ検出手段と、Ｐｒｅａｍｂｌｅ　Ｐａｔｈ検出手段により検出されたＰｒｅａｍｂｌｅ　Ｐａｔｈの間隔を判定して、通信可能なＰａｔｈを選択するＰａｔｈ間隔判定手段と、Ｐａｔｈ間隔判定手段により選択されたＰｒｅａｍｂｌｅ　Ｐａｔｈを基に、メッセージＰａｔｈ、及び受信開始タイミングを生成する複数のメッセージＰａｔｈ検出手段と、メッセージＰａｔｈ検出手段により生成されたメッセージＰａｔｈを基に、メッセージのＲａｋｅ受信、及びデコードを行なう複数のＲａｋｅ受信／デコード手段と、メッセージＰａｔｈ検出手段により生成された受信開始タイミングを基に、同時に受信開始したメッセージの一致検出を行ない、一致した場合に一のメッセージの出力のみを行なう同一メッセージ判定手段と、を有することを特徴としている。
【０００９】
請求項３記載の発明は、請求項２記載の発明において、Ｐａｔｈ間隔判定手段は、Ｐｒｅａｍｂｌｅ　Ｐａｔｈ検出手段により複数の遅延位置にＰｒｅａｍｂｌｅ　Ｐａｔｈが検出されたとき、１のＰｒｅａｍｂｌｅ　ＰａｔｈのＰａｔｈ間隔閾値内に他のＰｒｅａｍｂｌｅ　Ｐａｔｈが存するか否かを判定することを特徴としている。
【００１０】
請求項４記載の発明は、同一コードのＣＤＭＡランダムアクセスのＰｒｅａｍｂｌｅ試行を受信し、複数の遅延位置にＰａｔｈが検出されたとき、Ｐａｔｈ同士の間隔がＰａｔｈ間隔閾値を越える場合、異なる移動機からのＰｒｅａｍｂｌｅ試行とみなすことを特徴としている。
【００１１】
請求項５記載の発明は、請求項４記載の発明において、ランダムアクセスのＰｒｅａｍｂｌｅの遅延プロファイルを生成する遅延プロファイル生成工程と、遅延プロファイル生成工程により生成された遅延プロファイルのピーク検出を行ない、ピーク閾値を満たしたピーク値をＰｒｅａｍｂｌｅ　ＰａｔｈとするＰｒｅａｍｂｌｅ　Ｐａｔｈ検出工程と、Ｐｒｅａｍｂｌｅ　Ｐａｔｈ検出工程により検出されたＰｒｅａｍｂｌｅ　Ｐａｔｈの間隔を判定して、通信可能なＰａｔｈを選択するＰａｔｈ間隔判定工程と、Ｐａｔｈ間隔判定工程により選択されたＰｒｅａｍｂｌｅ　Ｐａｔｈを基に、メッセージＰａｔｈ、及び受信開始タイミングを生成するメッセージＰａｔｈ検出工程と、メッセージＰａｔｈ検出工程により生成されたメッセージＰａｔｈを基に、メッセージのＲａｋｅ受信、及びデコードを行なうＲａｋｅ受信／デコード工程と、メッセージＰａｔｈ検出工程により生成された受信開始タイミングを基に、同時に受信開始したメッセージの一致検出を行ない、一致した場合に一のメッセージの出力のみを行なう同一メッセージ判定工程と、を有することを特徴としている。
【００１２】
請求項６記載の発明は、請求項５記載の発明において、Ｐａｔｈ間隔判定工程は、Ｐｒｅａｍｂｌｅ　Ｐａｔｈ検出工程により複数の遅延位置にＰｒｅａｍｂｌｅ　Ｐａｔｈが検出されたとき、１のＰｒｅａｍｂｌｅ　ＰａｔｈのＰａｔｈ間隔閾値内に他のＰｒｅａｍｂｌｅ　Ｐａｔｈが存するか否かを判定することを特徴としている。
【００１３】
【発明の実施の形態】
まず、本発明を概説する。本発明は、ＣＤＭＡランダムアクセスのＰｒｅａｍｂｌｅ試行において、同一コード、複数の遅延位置に相関値のピークが検出された場合、それらの間隔がある一定の閾値を越える場合には、異なる移動機からの試行であると見なす。そして、続くデータ送信において、それらを別々にＲａｋｅ合成、デコード処理を行なうことによって、ランダムアクセスの衝突確率を低減するものである。ランダムアクセスにおいては、通信時間が十分に短く、位置が十分に異なる移動機に同時に同じｃｏｄｅを使用させても、通信中に遅延量が一致して干渉を起こすことはない。以下、相関値のピークが現われた遅延位置をＰａｔｈ位置、あるいは、単にＰａｔｈと呼ぶ。
【００１４】
図１は、本発明をＷ−ＣＤＭＡのＰＲＡＣＨ受信に適用した場合の一実施例を示すシステム図である。Ｐｒｅａｍｂｌｅ　Ｐａｔｈ検出部２は、受信信号からＰｒｅａｍｂｌｅのＰａｔｈ情報（Ｐａｔｈ位置及び、相関電力）を検出する。Ｐａｔｈ間隔判定部３は、Ｐａｔｈ間の干渉を基に、通信可能なＰａｔｈを選択し、メッセージ受信Ｐａｔｈ検出部４にＰａｔｈ情報を通知する。また、通信可能なＰａｔｈが存在する場合には、ＡＩＣＨ生成回路８からＡＣＫ（許可）を送信させる。通信可能なＰａｔｈが存在しない場合、Ｒａｋｅ受信／デコード部５に空きが無い場合には、ＮＡＣＫ（拒否）を送信させる。
【００１５】
メッセージ受信Ｐａｔｈ検出部４は、Ｐａｔｈ間隔判定部３から通知されたＰｒｅａｍｂｌｅのＰａｔｈ情報を基に、メッセージの遅延情報を求め、Ｒａｋｅ受信／デコード部５に通知する。それとともに、受信開始タイミングを同一メッセージ判定部６に通知する。Ｒａｋｅ受信／デコード部５は、ランダムアクセスデータを復調する。
【００１６】
同一メッセージ判定部６は、メッセージ受信Ｐａｔｈ検出部４から通知された受信開始タイミングが同一の複数データに関しては、Ｒａｋｅ受信／デコード部５から入力されたデータの一致検出を行なう。検出の結果、一致した場合は、いずれか１つを選択して出力し、一致しない場合は、どちらも出力する。また、同一メッセージ判定部６は、メッセージ受信Ｐａｔｈ検出部４から通知された受信開始タイミングが同一でない場合には、一致検出を行なうことなく、どちらのデータも出力する。
【００１７】
以下、本発明の実施の形態を添付図面を参照しながら詳細に説明する。まず、図１を参照して本発明の構成について説明する。図１において、説明の簡単のため、ｓｉｇｎａｔｕｒｅの第０番目の構成のみを記載しているが、本発明は、ｓｉｇｎａｔｕｒｅを１つに限定するものではない。
【００１８】
Ｓｉｇｎａｔｕｒｅ　＃０　Ｐｒｅａｍｂｌｅ遅延プロファイル生成部１は、受信信号とＳｉｇｎａｔｕｒｅ　＃０との遅延時間毎の相関強度分布であるＳｉｇｎａｔｕｒｅ　＃０　ｐｒｅａｍｂｌｅの遅延プロファイルを生成する。
【００１９】
Ｐｒｅａｍｂｌｅ　Ｐａｔｈ検出部２は、上記遅延プロファイルから、Ｐａｔｈ閾値を越える信号強度を有する遅延時間を検出し、信号強度の順に並べ替えて信号強度と遅延時間とを保持し、Ｐａｔｈ間隔判定部３に出力する。本実施例では、保持する信号強度と遅延時間との組（Ｐａｔｈ）を２つとしている。また、Ｐａｔｈ閾値を越える信号強度が検出された場合には、ＡＩＣＨ生成回路８よりＡＣＫを送信させ、ランダムアクセスを許可する。Ｓｉｇｎａｔｕｒｅ　＃０　Ｐｒｅａｍｂｌｅ遅延プロファイル生成部１とＰｒｅａｍｂｌｅ　Ｐａｔｈ検出部２の構成は既知であるので、その詳細は省略する。
【００２０】
Ｐａｔｈ間隔判定部３は、Ｐｒｅａｍｂｌｅ　Ｐａｔｈ検出部２で検出されたＰａｔｈの内、Ｐａｔｈ間隔がＰａｔｈ間隔閾値Ｄ以上のＰａｔｈを選択、保持する。
【００２１】
図４は、Ｐａｔｈ間隔判定部３の実施例を示している。Ｐａｔｈ間隔判定部３０は、ＰｒｅａｍｂｌｅＰａｔｈ検出部２で検出された２つのＰａｔｈの間隔が、Ｐａｔｈ間隔閾値Ｄを越えていることを判定している。Ｐａｔｈ間隔判定部３０は、通常の加算回路３７、３８、通常の比較回路３５、３６、論理和回路３４、論理積回路３３、及び遅延回路３１、３２を備える。
【００２２】
Ｐａｔｈ検出部２の出力であるＰａｔｈ位置１とＰａｔｈ位置２は、Ｐａｔｈ検出部２の作用により、”Ｐａｔｈ位置１の電力”＞＝”Ｐａｔｈ２の電力”である。Ｐａｔｈ位置１は、Ｐａｔｈ位置１有効信号が真の場合、遅延回路３１に保持されると共に、メッセージ受信Ｐａｔｈ検出部４に出力される。Ｐａｔｈ位置１有効信号が０の場合は、出力されない。
【００２３】
Ｐａｔｈ位置２は、Ｐａｔｈ位置１±Ｄより外側の場合には、論理和回路３４の出力が真となり、かつ、Ｐａｔｈ位置２有効信号が真の場合には、遅延回路３２に保持されると共に、メッセージ受信Ｐａｔｈ検出部４に出力される。それ以外の場合は、出力されない。Ｐａｔｈ検出部２の作用により、Ｐａｔｈ位置１有効信号は、検出されたＰａｔｈ数が、１以上の場合に真となり、Ｐａｔｈ位置２有効信号は、検出されたＰａｔｈ数が、２の場合に真となる。
【００２４】
メッセージ受信Ｐａｔｈ検出部４は、Ｐａｔｈ間隔判定部３で選択されたＰｒｅａｍｂｌｅのＰａｔｈ情報を基に、メッセージのＰａｔｈ情報を生成し、Ｒａｋｅ受信／デコード部５の制御を行なう。Ｒａｋｅ受信／デコード部５は、メッセージのＰａｔｈ情報を基に、メッセージのＲａｋｅ受信及びデコード処理を行なう。メッセージ受信Ｐａｔｈ検出部４、Ｒａｋｅ受信／デコード部５の構成は、既知であるので、その詳細は省略する。
【００２５】
同一メッセージ判定部６は、メッセージ受信Ｐａｔｈ検出部４で生成される受信開始タイミング信号を基に、同時に受信開始したメッセージに関して、一致検出を行なう。検出の結果、一致した場合には、どちらか一方を選択し、出力する。同時に受信開始しなかったメッセージに関しては、一致検出は行なわず、通信中のメッセージ、通信を開始したメッセージがともに出力される。
【００２６】
次に、図２〜図７を参照して本発明の一実施例の動作について説明する。図２は、Ｓｉｇｎａｔｕｒｅ　＃０　Ｐｒｅａｍｂｌｅ遅延プロファイル生成部１で生成された、Ｓｉｇｎａｔｕｒｅ　＃０のＰｒｅａｍｂｌｅ遅延プロファイルの一例を示す図である。図２に示す遅延プロファイルの横軸は、Ｐａｔｈの位置を、縦軸は、Ｐａｔｈの相関電力を示している。図２に示されている検出閾値は、Ｐｒｅａｍｂｌｅ　Ｐａｔｈ検出部２で、Ｐａｔｈ検出を行なう際の閾値を示したものである。
【００２７】
図３を用いて、ＰｒｅａｍｂｌｅＰａｔｈ検出部２の動作を説明する。図３は、Ｐｒｅａｍｂｌｅ　Ｐａｔｈ検出部２において、上記遅延プロファイルに対して、Ｐａｔｈ検出を行なった結果を示す図である。図３に示すｐ１、ｐ２、ｐ５は、図２に示す遅延プロファイルにおいて、図３中の閾値を越えたＰａｔｈ位置を示している。このうち、ｐ１、ｐ２がＰａｔｈとして選択され、ｐ５は、電力値が第三番目であるため、Ｐａｔｈとして選択されていない。ｐ０、ｐ３、ｐ４の位置のＰａｔｈは、閾値を越えなかったために、選択されていない。
【００２８】
次に、図４〜図７を用いて、Ｐａｔｈ間隔判定部３の動作を説明する。図４は、Ｐａｔｈ間隔判定部３の一実施例を示している。まず、図３に示すようなＰａｔｈ位置が、図４のＰａｔｈ間隔判定部３０に入力された場合の動作を説明する。図３の場合、Ｐａｔｈ数が２であるので、図４に示すＰａｔｈ位置１有効信号、Ｐａｔｈ位置２有効信号ともに真である。当該Ｐａｔｈ位置１には、ｐ１が、当該Ｐａｔｈ位置２には、ｐ２が入力されている。当該Ｐａｔｈ位置１有効信号が真であるので、当該Ｐａｔｈ位置１として、Ｐａｔｈ間隔判定部３０からは、ｐ１が出力される。加算回路３８の出力は、ｐ１＋Ｄ、加算回路３７の出力は、ｐ１−Ｄである。
【００２９】
次に、Ｐａｔｈ位置２について説明する。図５に示すような場合、ｐ１−Ｄ＜ｐ２＜ｐ１＋Ｄである。比較回路３５、３６の出力は、ともに偽となり、論理和回路３４、論理積回路３３の出力も偽となり、遅延回路３２の出力がｏｆｆとなるので、Ｐａｔｈ間隔判定部３０からｐ２は、出力されない。従って、図５に示すような場合、Ｐａｔｈ間隔判定部３０の出力は、ｐ１のみとなる。これは、ｐ１とｐ２が同一移動機のＰａｔｈと判定された場合である。
【００３０】
次に、図６に示すような場合を説明する。ｐ１−Ｄ＜ｐ２、ｐ１＋Ｄ＜ｐ２となるので、比較回路３５は、真、比較回路３６は、偽となる。論理和回路３４、論理積回路３３の出力も真となり、遅延回路３２の出力がｏｎとなるので、Ｐａｔｈ間隔判定部３０のＰａｔｈ位置２として、ｐ２が出力される。従って、図６に示すような場合、Ｐａｔｈ間隔判定部３０の出力は、ｐ１とｐ２となる。これは、ｐ１とｐ２が異なる移動機のＰａｔｈと判定された場合である。
【００３１】
図７は、図５の場合に、ｐ１が送られたメッセージ受信Ｐａｔｈ検出部４が検出したＰａｔｈ情報を示す図である。メッセージ受信Ｐａｔｈ検出部４は、ｐ１から一定の距離Ｄ以内に検出されたＰａｔｈすなわち、ｐ１とｐ２を、同一移動機からのＰａｔｈと判断して、Ｒａｋｅ受信／デコーダ部４に送る。メッセージ受信Ｐａｔｈ検出部４は、さらに、メッセージ受信を開始したタイミングを同一メッセージ判定部６に送る。
【００３２】
図７の場合、ｐ１、ｐ２が、Ｒａｋｅ受信／デコーダ部４に送付され、ＲＡＫＥ合成され、デコード処理後、同一メッセージ判定部６に送られる。ここで、Ｒａｋｅ受信／デコーダ部は、既知のものであるので、説明を省略する。同一メッセージ判定部６は、メッセージ受信Ｐａｔｈ検出部４から入力されたタイミングが同一の場合、全データ、あるいは、特定部分の一致検出を行なう。検出の結果、一致していれば、片方を選択して、ＲＡＣＨデータとして出力する。一致していなければ、両方のデータを出力する。メッセージ受信Ｐａｔｈ検出部４から入力されたタイミングが異なる場合は、一致検出は行なわず、両方のデータを出力する。
【００３３】
なお、上述した実施の形態は、本発明の好適な実施の形態の一例を示すものであり、本発明はそれに限定されることなく、その要旨を逸脱しない範囲内において、種々変形実施が可能である。
【００３４】
【発明の効果】
以上の説明から明らかなように、ＣＤＭＡの位置選択性を利用し、Ｐａｔｈ間隔判定部３の作用により、ＰｒｅａｍｂｌｅのＰａｔｈ検出位置が一定の閾値以上に離れている場合には、複数のメッセージデータを個別に受信することにより、同時に生起したランダムアクセスの衝突確率を低減することができる。これにより、ＲＡＣＨランダムアクセスのスループットを向上させることができる。
【図面の簡単な説明】
【図１】本発明をＷ−ＣＤＭＡのＰＲＡＣＨ受信に適用した場合の一実施例を示すシステム図である。
【図２】Ｐｒｅａｍｂｌｅ遅延プロファイルの一例を示す図である。
【図３】遅延プロファイルに対して、Ｐａｔｈ検出を行なった結果を示す図である。
【図４】Ｐａｔｈ間隔判定部３の一実施例を示す回路図である。
【図５】検出したＰａｔｈとＰａｔｈ間隔閾値の一例（同一移動機）を示す図である。
【図６】検出したＰａｔｈとＰａｔｈ間隔閾値の一例（異移動機）を示す図である。
【図７】ｐ１が送られたメッセージ受信Ｐａｔｈ検出部４が検出したＰａｔｈ情報を示す図である。
【図８】従来技術におけるＣＤＭＡランダムアクセスシステムの構成を示す図である。
【符号の説明】
１　Ｓｉｇｎａｔｕｒｅ　＃０　Ｐｒｅａｍｂｌｅ遅延プロファイル生成部
２　Ｐｒｅａｍｂｌｅ　Ｐａｔｈ検出部
３　Ｐａｔｈ間隔判定部
４　メッセージ受信Ｐａｔｈ検出部
５　Ｒａｋｅ受信／デコード部
６　同一メッセージ判定部
８　ＡＩＣＨ生成回路
【図１】
2004064560.tif 000003
【図２】
2004064560.tif 000004
【図３】
2004064560.tif 000005
【図４】
2004064560.tif 000006
【図５】
2004064560.tif 000007
【図６】
2004064560.tif 000008
【図７】
2004064560.tif 000009
【図８】
2004064560.tif 000010